(57)【特許請求の範囲】
【請求項１】
巻回中心部を導体開口部とする渦巻き状のコイル導体が設けられ、前記導体開口部に貫通孔が形成されたフレキシブル基板と、前記貫通孔に挿入された板状の磁性体コアとを備えた磁性体アンテナにおいて、
前記磁性体コアの第１面側に保護用片面粘着シートが貼着され、
前記磁性体コアの第２面側に筐体固定用両面粘着シートが貼付され、
前記磁性体コアが前記フレキシブル基板の貫通孔を貫通した状態で、前記磁性体コアの第１面側のうち、前記フレキシブル基板が位置する領域のみに前記フレキシブル基板と前記磁性体コアとを貼着するフレキシブル基板接着用両面粘着シートが設けられた、ことを特徴とする磁性体アンテナ。
【請求項２】
前記保護用片面粘着シートは前記磁性体コアの第１面に直接貼着され、
前記筐体固定用両面粘着シートは、前記磁性体コアが前記フレキシブル基板の貫通孔を貫通した状態で、前記磁性体コアの第２面及び第２面上の前記フレキシブル基板を覆うように貼付された、請求項１に記載の磁性体アンテナ。
【請求項３】
前記磁性体コアの第２面にフレキシブル基板接着用両面粘着シートが貼付され、
前記筐体固定用両面粘着シートは、前記磁性体コアが前記フレキシブル基板の貫通孔を貫通した状態で、前記磁性体コアの第２面上の前記フレキシブル基板接着用両面粘着シートの表面及び第２面上の前記フレキシブル基板を覆う、請求項２に記載の磁性体アンテナ。
【請求項４】
前記フレキシブル基板と前記磁性体コアの第２面側との対向領域同士がフレキシブル基板接着用両面粘着シートで貼着され、
前記筐体固定用両面粘着シートは、前記磁性体コアが前記フレキシブル基板の貫通孔を貫通した状態で、前記磁性体コアの第２面及び第２面上の前記フレキシブル基板を覆う、請求項２に記載の磁性体アンテナ。
【請求項５】
前記フレキシブル基板と前記磁性体コアの第１面との対向領域同士、及び前記フレキシブル基板と前記磁性体コアの第２面との対向領域同士がフレキシブル基板接着用両面粘着シートで直接貼着され、
前記磁性体コアが前記フレキシブル基板の貫通孔を貫通した状態で、前記保護用片面粘着シートは、前記磁性体コアの第１面及び第１面上の前記フレキシブル基板を覆うように貼付され、前記筐体固定用両面粘着シートは、前記磁性体コアの第２面及び第２面上の前記フレキシブル基板を覆うように貼付された、請求項１に記載の磁性体アンテナ。
【請求項６】
前記フレキシブル基板は、前記コイル導体の形成領域外に、前記磁性体コアが貫通するコイル導体形成領域外貫通孔を備え、
前記磁性体コアは、前記フレキシブル基板の第１面から前記導体開口部側の貫通孔を貫通し、且つ前記フレキシブル基板の第２面から前記コイル導体形成領域外貫通孔を貫通し、且つ第１面が前記フレキシブル基板の第１面に対向し、第２面が前記フレキシブル基板の第２面に対向する状態に設けられた、請求項１に記載の磁性体アンテナ。
【請求項７】
前記磁性体コアは、複数に小片化された焼結磁性体である、請求項１乃至６の何れかに記載の磁性体アンテナ。
【請求項８】
前記保護用片面粘着シート、フレキシブル基板接着用両面粘着シート、前記筐体固定用両面粘着シート、の少なくとも何れかはポリエチレンテレフタレートを基材とするものである、請求項１乃至７の何れかに記載の磁性体アンテナ。
【請求項９】
前記保護用片面粘着シート、フレキシブル基板接着用両面粘着シート、前記筐体固定用両面粘着シート、の少なくとも何れかはポリエチレンナフタレートを基材とするものである、請求項１乃至７の何れかに記載の磁性体アンテナ。
【請求項１０】
請求項１乃至９の何れかに記載の磁性体アンテナと、当該磁性体アンテナを収納する筐体とを備え、前記磁性体アンテナが前記筐体固定用両面粘着シートで前記筐体の内面に貼着された携帯端末。
【発明の詳細な説明】
【技術分野】
【０００１】
この発明は、誘導電磁界を利用して近距離で無線通信するＲＦＩＤ（Radio Frequency Identification）システム等に用いられる磁性体アンテナ及びそれを備えた携帯端末に関するものである。
【背景技術】
【０００２】
ＲＦＩＤシステムで用いられる磁性体アンテナが特許文献１に開示されている。図１は特許文献１に示されている磁性体アンテナの平面図及び断面図である。この磁性体アンテナ（アンテナコイル）１０は、空芯コイル部１４が形成されたアンテナ基板１１と平行に平板状の磁性体コア（磁芯部材）１２を積層した状態で、アンテナ基板１１及び磁芯部材１２を封止部１７で被覆したものである。磁性体コア１２は焼結フェライトである。
【０００３】
アンテナ基板１１は、例えばポリイミド等の絶縁材料でなるベースフィルム１３と、このベースフィルム１３の上に形成された銅又はアルミニウム等でなる渦巻き状の空芯コイル部１４と、この空芯コイル部１４の両端部に接続された外部接続端子１５とで構成されている。ベースフィルム１３の表裏面には絶縁材料でなるオーバーコート材が設けられている。
【先行技術文献】
【特許文献】
【０００４】
【特許文献１】特開２００４−３０４３７０号公報
【発明の概要】
【発明が解決しようとする課題】
【０００５】
特許文献１に示されているように、磁性体コアを封止部で封止することによって、焼結フェライトである磁性体コアが衝撃で割れたとしても、その飛散が防止できる。
しかし、このような焼結フェライトの飛散防止用の封止材で封止した構造では、封止材の分だけ全体の厚みが厚くなる。そのため、薄型化された電子機器内にこの磁性体アンテナを組み込む際に、組み込み先のスペースが確保できないという問題があった。
【０００６】
特に、貫通孔の周囲に渦巻き状のコイル導体が設けられたフレキシブル基板を備え、その貫通孔に磁性体コアが挿入された磁性体アンテナにおいては、磁性体コアの両面にフレキシブル基板が存在することになり、薄型化の要請に対する対処が更に厳しいものとなる。
【０００７】
そこで、この発明の目的は、磁性体コアの保護及び飛散防止機能を維持しつつ全体に薄型化できる磁性体アンテナ及びそれを備えた携帯端末を提供することにある。
【課題を解決するための手段】
【０００８】
前記課題を解決するために、この発明の磁性体アンテナは、巻回中心部を導体開口部とする渦巻き状のコイル導体が設けられ、前記導体開口部に貫通孔が形成されたフレキシブル基板と、前記貫通孔に挿入された板状の磁性体コアとを備え、前記磁性体コアの第１面側に保護用片面粘着シートが貼着され、前記磁性体コアの第２面側に筐体固定用両面粘着シートが貼付され、前記磁性体コアが前記フレキシブル基板の貫通孔を貫通した状態で、前記磁性体コアの第１面側のうち、前記フレキシブル基板が位置する領域のみに前記フレキシブル基板と前記磁性体コアとを貼着するフレキシブル基板接着用両面粘着シートが設けられている。
【０００９】
この発明の携帯端末は、前記磁性体アンテナと、それを収納する筐体とを備え、前記磁性体アンテナが前記筐体固定用両面粘着シートで前記筐体の内面に貼着されたものである。
【００１０】
例えば、前記片面粘着シートは前記磁性体コアの第１面に直接貼着され、前記筐体固定用両面粘着シートは、前記磁性体コアが前記フレキシブル基板の貫通孔を貫通した状態で、前記磁性体コアの第２面及び第２面上の前記フレキシブル基板を覆うように貼付されている。
【００１１】
また、例えば、前記磁性体コアの第２面にフレキシブル基板接着用両面粘着シートが貼付され、前記筐体固定用の両面粘着シートは、前記磁性体コアが前記フレキシブル基板の貫通孔を貫通した状態で、前記磁性体コアの第２面上の前記両面粘着シートの表面及び第２面上の前記フレキシブル基板を覆う。
【００１２】
また、例えば、前記フレキシブル基板と前記磁性体コアの第２面側との対向領域同士が両面粘着シートで貼着され、前記筐体固定用両面粘着シートは、前記磁性体コアが前記フレキシブル基板の貫通孔を貫通した状態で、前記磁性体コアの第２面及び第２面上の前記フレキシブル基板を覆う。
【００１３】
また、例えば、前記フレキシブル基板と前記磁性体コアの第１面との対向領域同士、及び前記フレキシブル基板と前記磁性体コアの第２面との対向領域同士が両面粘着シートで直接貼着され、前記磁性体コアが前記フレキシブル基板の貫通孔を貫通した状態で、前記片面粘着シートは、前記磁性体コアの第１面及び第１面上の前記フレキシブル基板を覆うように貼付され、前記筐体固定用両面粘着シートは、前記磁性体コアの第２面及び第２面上の前記フレキシブル基板を覆うように貼付される。
【００１４】
また、例えば、前記フレキシブル基板は、前記コイル導体の形成領域外に、前記磁性体コアが貫通するコイル導体形成領域外貫通孔を備え、前記磁性体コアは、前記フレキシブル基板の第１面から前記導体開口部側の貫通孔を貫通し、且つ前記フレキシブル基板の第２面から前記コイル導体形成領域外貫通孔を貫通し、且つ第１面が前記フレキシブル基板の第１面に対向し、第２面が前記フレキシブル基板の第２面に対向する状態に設けられる。
【００１５】
前記磁性体コアは、例えば、複数に小片化された焼結磁性体であり、
前記保護用片面粘着シート、前記筐体固定用両面粘着シート、フレキシブル基板接着用両面粘着シートの少なくとも何れかは例えばポリエチレンテレフタレートを基材とするものである。
【００１６】
また、前記保護用片面粘着シート、前記筐体固定用両面粘着シート、フレキシブル基板接着用両面粘着シートの少なくとも何れかは例えばポリエチレンナフタレートを基材とするものである。
【発明の効果】
【００１７】
この発明によれば、磁性体コア、フレキシブル基板、及びその他の粘着シートによる積層体全体の厚みが従来構造に比べて薄くなる。そのため、この磁性体アンテナを収納した携帯端末の薄型化・小型化が図れる。
【図面の簡単な説明】
【００１８】
【図１】特許文献１に示されている磁性体アンテナの平面図及び断面図である。
【図２】第１の実施形態に係る磁性体アンテナに備えるフレキシブル基板２０１の平面図である。
【図３】第１の実施形態に係る磁性体アンテナに備える磁性体コア３０及びフレキシブル基板２０１等の斜視図である。
【図４】図４（Ａ）は、アンテナコイルユニット３０１と筐体固定用両面粘着シート４４との関係を示す図、図４（Ｂ）は磁性体アンテナ４０１の構成図である。
【図５】第２の実施形態に係る磁性体アンテナに備える磁性体コア３０及びフレキシブル基板２０２等の斜視図である。
【図６】図６（Ａ）は、アンテナコイルユニット３０２と筐体固定用両面粘着シート４４との関係を示す図、図６（Ｂ）は磁性体アンテナ４０２の構成図である。
【図７】第３の実施形態に係る磁性体アンテナに備える磁性体コア３０及びフレキシブル基板２０３等の斜視図である。
【図８】図８（Ａ）は、アンテナコイルユニット３０３と筐体固定用両面粘着シート４４及び保護用片面粘着シート４１との関係を示す図、図８（Ｂ）は磁性体アンテナ４０３の構成図である。
【図９】第４の実施形態に係る磁性体アンテナに備えるフレキシブル基板２０４の平面図である。
【図１０】第４の実施形態に係る磁性体アンテナに備える磁性体コア３０及びフレキシブル基板２０４等の斜視図である。
【図１１】図１１（Ａ）は、アンテナコイルユニット３０４と筐体固定用両面粘着シート４４及び保護用片面粘着シート４１との関係を示す図、図１１（Ｂ）は磁性体アンテナ４０４の構成図である。
【図１２】図１２（Ａ）は、第５の実施形態に係る磁性体アンテナに備える磁性体コア３０Ａの平面図、図１２（Ｂ）は、それに貼付されているフレキシブル基板接着用両面粘着シート４２、及び保護用片面粘着シート４１を備える、磁性体コア全体の断面図である。
【図１３】第６の実施形態に係る携帯端末６０１の主要部の断面図である。
【発明を実施するための形態】
【００１９】
《第１の実施形態》
図２は、第１の実施形態に係る磁性体アンテナに備えるフレキシブル基板２０１の平面図である。
図２に示されているように、フレキシブル基板２０１の基材２１には、巻回中心部を導体開口部ＣＣとする渦巻き状のコイル導体２２が設けられ、導体開口部ＣＣに貫通孔Ａ１が形成されている。
【００２０】
図３は、第１の実施形態に係る磁性体アンテナに備える磁性体コア３０及びフレキシブル基板２０１等の斜視図である。
磁性体コア３０は矩形板形状に成形されたフェライトのコアである。この磁性体コア３０の第１面（図３の状態で下面）に保護用片面粘着シート４１が直接貼着される。また、磁性体コア３０の第２面（図３の状態で上面）にフレキシブル基板接着用両面粘着シート４２が貼付される。
【００２１】
フレキシブル基板２０１の第２面（図３の状態で上面）のうち、磁性体コア３０側との対向面にはフレキシブル基板接着用両面粘着シート４３が貼付されている。
図３に示した各部材は次のように組み立てる。先ず、磁性体コア３０に保護用片面粘着シート４１及びフレキシブル基板接着用両面粘着シート４２を貼付する。一方、フレキシブル基板２０１にフレキシブル基板接着用両面粘着シート４３を貼付する。そして、保護用片面粘着シート４１及びフレキシブル基板接着用両面粘着シート４２が貼付された磁性体コア３０を、フレキシブル基板２０１の貫通孔Ａ１に挿入し、フレキシブル基板接着用両面粘着シート４３及びフレキシブル基板接着用両面粘着シート４２を介して、フレキシブル基板２０１を磁性体コア３０に貼着する。これによって、磁性体コア３０及びフレキシブル基板２０１を備えるアンテナコイルユニットを構成する。
【００２２】
図４（Ａ）、図４（Ｂ）は、前記アンテナコイルユニット３０１と筐体固定用両面粘着シート４４との関係を示す図である。
アンテナコイルユニット３０１は、既に述べたとおり、磁性体コア３０とフレキシブル基板２０１が、保護用片面粘着シート４１、フレキシブル基板接着用両面粘着シート４２、及びフレキシブル基板接着用両面粘着シート４３で互いに貼着されたユニットである。
【００２３】
このアンテナコイルユニット３０１に対して、磁性体コア３０の第２面側に筐体固定用両面粘着シート４４が貼付される。すなわち、筐体固定用両面粘着シート４４は、磁性体コア３０がフレキシブル基板２０１の貫通孔を貫通した状態で、磁性体コア３０の第２面及び第２面上のフレキシブル基板２０１を覆うように貼付される。
このようにして、図４（Ｂ）に示す磁性体アンテナ４０１が構成される。
【００２４】
なお、前記保護用片面粘着シート４１、フレキシブル基板接着用両面粘着シート４２、筐体固定用両面粘着シート４４の少なくとも何れかはポリエチレンテレフタレート又はポリエチレンナフタレートを基材とし、その表面に粘着層が形成されたシートである。
【００２５】
ポリエチレンテレフタレート基材のテープは安価であり、かつ弾性や剛性が強いため、薄くても複数に小片化された焼結フェライトの形状保持が可能となる。
【００２６】
また、ポリエチレンナフタレートを基材とする粘着シートは、ポリエチレンテレフタレートを基材とするものより高価であるが、耐熱性、耐湿性が高く、高温や高湿環境化で使用する場合の信頼性が高くなる。
このことは以降に示す各実施形態においても同様である。
【００２７】
《第２の実施形態》
図５は、第２の実施形態に係る磁性体アンテナに備える磁性体コア３０及びフレキシブル基板２０２等の斜視図である。
磁性体コア３０は矩形板形状に成形されたフェライトのコアである。この磁性体コア３０の第１面（図５の状態で下面）に保護用片面粘着シート４１が直接貼着される。
【００２８】
フレキシブル基板２０２の第２面（図５の状態で上面）のうち、磁性体コア３０側との対向面にはフレキシブル基板接着用両面粘着シート４３が貼付されている。また、フレキシブル基板２０２の第１面（図５の状態で下面）のうち、磁性体コア３０側との対向面にはフレキシブル基板接着用両面粘着シート４５が貼付されている。
図５に示した各部材は次のように組み立てる。先ず、磁性体コア３０に保護用片面粘着シート４１を貼付する。一方、フレキシブル基板２０２にフレキシブル基板接着用両面粘着シート４３，４５を貼付する。そして、保護用片面粘着シート４１が貼付された磁性体コア３０を、フレキシブル基板２０２の貫通孔Ａ１に挿入し、フレキシブル基板接着用両面粘着シート４３，４５を介して、フレキシブル基板２０２を磁性体コア３０に貼着する。これによって、磁性体コア３０及びフレキシブル基板２０２を備えるアンテナコイルユニットを構成する。
【００２９】
図６（Ａ）、図６（Ｂ）は、前記アンテナコイルユニット３０２と筐体固定用両面粘着シート４４との関係を示す図である。
アンテナコイルユニット３０２は、磁性体コア３０とフレキシブル基板２０２が、保護用片面粘着シート４１及びフレキシブル基板接着用両面粘着シート４３，４５で互いに貼着されたユニットである。
【００３０】
このアンテナコイルユニット３０２に対して、磁性体コア３０の第２面側に筐体固定用両面粘着シート４４が貼付される。すなわち、筐体固定用両面粘着シート４４は、磁性体コア３０がフレキシブル基板２０２の貫通孔を貫通した状態で、磁性体コア３０の第２面及び第２面上のフレキシブル基板２０２を覆うように貼付される。
このようにして、図６（Ｂ）に示す磁性体アンテナ４０２が構成される。
【００３１】
第２の実施形態による磁性体アンテナ４０２では、第１の実施形態で示した磁性体アンテナ４０１より薄型化できる。また、アンテナコイルユニット３０２の状態で表面に粘着面が露出していないので組立作業性が向上する。
【００３２】
《第３の実施形態》
図７は、第３の実施形態に係る磁性体アンテナに備える磁性体コア３０及びフレキシブル基板２０３等の斜視図である。
磁性体コア３０は矩形板形状に成形されたフェライトのコアである。
【００３３】
フレキシブル基板２０３の第２面（図７の状態で上面）のうち、磁性体コア３０側との対向面にはフレキシブル基板接着用両面粘着シート４３が貼付されている。また、フレキシブル基板２０３の第１面（図７の状態で下面）のうち、磁性体コア３０側との対向面にはフレキシブル基板接着用両面粘着シート４５が貼付されている。これによって、磁性体コア３０及びフレキシブル基板２０３を備えるアンテナコイルユニットを構成する。
図８（Ａ）、図８（Ｂ）は、前記アンテナコイルユニット３０３と筐体固定用両面粘着シート４４及び保護用片面粘着シート４１との関係を示す図である。
アンテナコイルユニット３０３は、磁性体コア３０とフレキシブル基板２０３が、フレキシブル基板接着用両面粘着シート４３，４５で互いに貼着されたユニットである。
【００３４】
このアンテナコイルユニット３０３に対して、磁性体コア３０の第１面側（図８の状態で下面側）に保護用片面粘着シート４１が貼付される。すなわち、保護用片面粘着シート４１は、磁性体コア３０がフレキシブル基板２０３の貫通孔を貫通した状態で、磁性体コア３０の第１面及び第１面上のフレキシブル基板２０３を覆うように貼付される。また、磁性体コア３０の第２面側（図８の状態で上面側）に筐体固定用両面粘着シート４４が貼付される。すなわち、筐体固定用両面粘着シート４４は、磁性体コア３０がフレキシブル基板２０３の貫通孔を貫通した状態で、磁性体コア３０の第２面及び第２面上のフレキシブル基板２０３を覆うように貼付される。
このようにして、図８（Ｂ）に示す磁性体アンテナ４０３が構成される。
【００３５】
第３の実施形態による磁性体アンテナ４０３では、第２の実施形態で示した磁性体アンテナ４０２より薄型化できる。また、アンテナコイルユニット３０３の状態で表面に粘着面が露出していないので組立作業性が向上する。
【００３６】
また、フレキシブル基板２０３が保護用片面粘着シート４１で保護されるので、フレキシブル基板２０３の電極の絶縁が強化される。
【００３７】
《第４の実施形態》
図９は、第４の実施形態に係る磁性体アンテナに備えるフレキシブル基板２０４の平面図である。
図９に示されているように、フレキシブル基板２０４には、巻回中心部を導体開口部ＣＣとする渦巻き状のコイル導体２２が設けられ、導体開口部ＣＣに貫通孔Ａ１が形成されている。また、フレキシブル基板２０４には、コイル導体２２の形成領域外に、磁性体コアが貫通するコイル導体形成領域外貫通孔Ａ２を備えている。
【００３８】
図１０は、第４の実施形態に係る磁性体アンテナに備える磁性体コア３０及びフレキシブル基板２０４等の斜視図である。
磁性体コア３０は矩形板形状に成形されたフェライトのコアである。フレキシブル基板２０４の第１面（図１０の状態で下面）のうち、磁性体コア３０との対向面にはフレキシブル基板接着用両面粘着シート４５，４６が貼付されている。
【００３９】
磁性体コア３０は、フレキシブル基板２０４の第１面（図１０の状態で下面）から導体開口部側の貫通孔Ａ１を貫通し、且つフレキシブル基板２０４の第２面からコイル導体形成領域外貫通孔Ａ２を貫通するように配置される。これによって、磁性体コア３０及びフレキシブル基板２０４を備えるアンテナコイルユニットを構成する。
【００４０】
図１１（Ａ）、図１１（Ｂ）は、前記アンテナコイルユニット３０４と筐体固定用両面粘着シート４４及び保護用片面粘着シート４１との関係を示す図である。
アンテナコイルユニット３０４は、磁性体コア３０とフレキシブル基板２０４が、フレキシブル基板接着用両面粘着シート４５，４６で互いに貼着されたユニットである。フレキシブル基板２０４はフレキシブル基板接着用両面粘着シート４５，４６を介して磁性体コア３０に貼付されている。すなわち、磁性体コア３０の第１面がフレキシブル基板２０４の第１面に対向し、磁性体コア３０の第２面がフレキシブル基板２０４の第２面に対向する状態で一体化されている。
【００４１】
このアンテナコイルユニット３０４に対して、磁性体コア３０の第１面側（図１１の状態で下面側）に保護用片面粘着シート４１が貼付される。また、磁性体コア３０の第２面側（図１１の状態で上面側）に筐体固定用両面粘着シート４４が貼付される。
このようにして、図１１（Ｂ）に示す磁性体アンテナ４０４が構成される。
【００４２】
第４の実施形態による磁性体アンテナ４０４では、さらに薄型化できる。また、アンテナコイルユニット３０３の状態で表面に粘着面が露出していないので組立作業性が向上する。
【００４３】
《第５の実施形態》
図１２（Ａ）は、第５の実施形態に係る磁性体アンテナに備える磁性体コア３０Ａの平面図、図１２（Ｂ）は、それに貼付されているフレキシブル基板接着用両面粘着シート４２、及び保護用片面粘着シート４１を備える、磁性体コア全体の断面図である。
【００４４】
図３に示した第１の実施形態と異なるのは、磁性体コア３０Ａの構造である。図１２に示す磁性体コア３０Ａは、焼結磁性体の両面をフレキシブル基板接着用両面粘着シート４２及び保護用片面粘着シート４１でラミネートした後、焼結磁性体を複数の小片に分割したものである。
【００４５】
このような構成により、磁性体コア３０Ａ全体で柔軟性をもつことになる。そのため、この磁性体コア３０Ａを備えた磁性体アンテナは、フレキシブル基板や各粘着シートの厚み分の段差を無くすように変形する。また、例えば携帯端末の筐体内の単一平面に限らずに、筐体の内面に沿って設けることができる。したがって種々の形状の筐体内に容易に組み込める。
【００４６】
《第６の実施形態》
図１３は第６の実施形態に係る携帯端末６０１の主要部の断面図である。この携帯端末６０１は、磁性体アンテナ４０５、基板５０、及び筐体６０を備えている。磁性体アンテナ４０５は筐体６０の内面に貼付されている。
【００４７】
磁性体アンテナ４０５は、図８に示した第３の実施形態に係る磁性体アンテナ４０３に第５の実施形態で示した磁性体コア３０Ａを適用したものである。そのため、磁性体コア３０Ａの変形によって筐体固定用両面粘着シート４４は一平面となって、その全面で筐体６０の内面に貼付される。
【００４８】
磁性体アンテナ４０５のフレキシブル基板２０３に形成されている端子電極は基板５０上の接続端子に電気的に接続される。又は、基板５０にピンやバネ端子などのスプリングプローブを設けて、スプリングプローブが磁性体アンテナ４０５のフレキシブル基板上の端子電極に導通するようにしてもよい。
【００４９】
基板５０にグランド電極が広がって形成されている場合には、図１３において破線の矢印で示す磁束が通り、フレキシブル基板２０３に形成されているコイル導体の導体開口部を磁束が抜けることになる。
【符号の説明】
【００５０】
Ａ１…貫通孔
Ａ２…コイル導体形成領域外貫通孔
ＣＣ…導体開口部
２１…基材
２２…コイル導体
３０，３０Ａ…磁性体コア
４１…保護用片面粘着シート
４２，４３，４５，４６…フレキシブル基板接着用両面粘着シート
４４…筐体固定用両面粘着シート
５０…基板
６０…筐体
２０１〜２０４…フレキシブル基板
３０１〜３０４…アンテナコイルユニット
４０１〜４０５…磁性体アンテナ
６０１…携帯端末
【図１】
0005487919.tif 000002
【図２】
0005487919.tif 000003
【図３】
0005487919.tif 000004
【図４】
0005487919.tif 000005
【図５】
0005487919.tif 000006
【図６】
0005487919.tif 000007
【図７】
0005487919.tif 000008
【図８】
0005487919.tif 000009
【図９】
0005487919.tif 000010
【図１０】
0005487919.tif 000011
【図１１】
0005487919.tif 000012
【図１２】
0005487919.tif 000013
【図１３】
0005487919.tif 000014